(57)【要約】【課題】従来の加熱時間の設定では、使用者の意図に沿った設定ができず、使用者にとって使い勝手が悪いという印象を与える結果となる恐れがある。【解決手段】加熱手段の加熱時間等を設定入力する操作部と、該操作部からの設定入力に基づいて前記加熱手段の駆動を制御する制御部とを備え、前記操作部は、所定時間単位で設定時間をカウントアップできる加熱時間入力部の設定操作より前記設定入力が可能であると共に、前記制御部は、設定できる加熱時間の最大時間を有し、前記操作部の前記加熱時間入力部から設定時間が前記最大時間を超える時間を設定操作されたとき前記最大時間に設定し、その後さらに前記加熱時間入力部から設定操作されたとき０にリセットするよう設定する構成である。【選択図】  図２
2004353907.tif 000002
【特許請求の範囲】
【請求項１】
食品を収納する加熱室と、該加熱室内の食品を加熱する加熱手段と、該加熱手段の加熱時間等を設定入力する操作部と、該操作部からの設定入力に基づいて前記加熱手段の駆動を制御する制御部とを備え、
前記操作部は、所定時間単位で設定時間をカウントアップできる加熱時間入力部の設定操作より前記設定入力が可能であると共に、前記制御部は、設定できる加熱時間の最大時間を有し、前記操作部の前記加熱時間入力部から設定時間が前記最大時間を超える時間を設定操作されたとき前記最大時間に設定し、その後さらに前記加熱時間入力部から設定操作されたとき０にリセットするよう設定することを特徴とする加熱調理器。
【請求項２】
前記操作部の前記加熱時間入力部は、所定時間単位の異なる加熱時間入力部を複数有することを特徴とする請求項１に記載の加熱調理器。
【発明の詳細な説明】
【０００１】
【発明の属する技術分野】
本発明はマグネトロン等の加熱手段により食品を加熱する加熱調理器に関する。
【０００２】
【従来の技術】
従来の加熱調理器は、図７に示すように、筐体５０の内部に食品を収納可能な加熱室５１と、該加熱室５１の正面側開口部５２にはファインダー部５３を形成し、上下方向に開閉可能に取付けられたドア５４と、前記筐体正面側右側部に備えられ、各種の機能を操作、制御するための操作パネル５５と、を有している。
【０００３】
前記操作パネル５５は、図８に詳細に示すように、上方側から下方側にかけて表示部５６、加熱時間設定キー５７（５分、１分、１０秒の３つのキーよりなる）、スタートキー５８、取消キー５９、手動加熱キー６０（レンジ強／弱、生もの解凍、トースター、ピザ加熱の５つのキーよりなる）、自動加熱キー６１（あたため、牛乳あたため、酒のかん、トースト、冷凍トースト、炊飯の６つのキーよりなる）、仕上がり調節キー６２（仕上り、焼色調節の２つの機能を有し、強めキーと弱めキーとの２つからなる）、時刻合わせキー６３が各々適切に操作性よく配設されている。
【０００４】
そして、表示部５６には、例えば下部側の上述した各種操作キーがＯＮ操作されると、それに対応して図示のように各種の選択設定状態が表示される（例えば、特許文献１参照。）。
【０００５】
斯かる構成において、レンジ加熱を行うべく加熱時間設定キー５７にて加熱時間を設定する場合、例えば最大加熱設定時間を３０分とし、５分キーを５回及び１分キーを１回設定操作して、２６分を設定したとする。その後、使用者がさらに５分キーを操作したとき、設定時間が３１分となり、最大加熱設定時間３０分を超えるため、０分にリセットされ、表示部に表示されていた。
【０００６】
【特許文献１】
特開平５−１１３２２３号公報
【０００７】
【発明が解決しようとする課題】
しかしながら、前述の操作、即ち加熱設定時間を２６分に設定後、使用者がさらに５分キーを操作して加熱設定時間が３１分となる操作において、使用者は加熱設定時間を２６分より大きくしようとする意図のもとの操作であり、最大設定加熱時間３０分を超えたから、すぐに０にリセットする動作は、使用者の意図に反する動作である。
【０００８】
このような動作は、使用者にとって思うように設定できないと感じることであり、使い勝手が悪いという印象を与える結果となる恐れがある。
【０００９】
本発明は、斯かる課題を解決するために為されたものである。
【００１０】
【課題を解決するための手段】
本発明に記載の加熱調理器は、食品を収納する加熱室と、該加熱室内の食品を加熱する加熱手段と、該加熱手段の加熱時間等を設定入力する操作部と、該操作部からの設定入力に基づいて前記加熱手段の駆動を制御する制御部とを備え、前記操作部は、所定時間単位で設定時間をカウントアップできる加熱時間入力部の設定操作より前記設定入力が可能であると共に、前記制御部は、設定できる加熱時間の最大時間を有し、前記操作部の前記加熱時間入力部から設定時間が前記最大時間を超える時間を設定操作されたとき前記最大時間に設定し、その後さらに前記加熱時間入力部から設定操作されたとき０にリセットするよう設定することを特徴とする。
【００１１】
また、前記操作部の前記加熱時間入力部は、所定時間単位の異なる加熱時間入力部を複数有することを特徴とする。
【００１２】
【発明の実施の形態】
図１において、１は加熱調理器の一実施例となるオーブンレンジを示し、２は本体、３はドアである。
【００１３】
４は本体２の外郭を覆う外装部、５はドア３閉塞時にドア３と対向する前面板、６は本体２の前面に備えられ、使用者が各種情報を入力するための操作パネル、７は外装部４内に配置した加熱室である。
【００１４】
前記加熱室７は、ドア３により開閉される前面開口８と、右側面上部に配置され、後述する赤外線センサの検出経路部材９が外壁に接続される検出孔１０と、底部にシリコン１２で外周をシール止めしたマイクロ波透過性材料の底板１１と、から構成されている。
【００１５】
前記検出経路部材９は、箱形形状であり、該箱形形状の底面には赤外線センサが取り付けられ、該底面に赤外線センサで赤外線を検出するための貫通孔が設けられている。
【００１６】
前記加熱室７内には、加熱される食品１３が収納され、後述するマグネトロンからのマイクロ波などにより加熱される。また前記赤外線センサは、加熱室７内の食品１３の温度を前記赤外線センサにより検出して加熱進行を検出するためのものである。
【００１７】
図２において、前記操作パネル６は、液晶などで形成され、加熱時間や設定内容などを表示する表示部１４と、加熱時間等を設定入力するキー入力部１５とを有している。キー入力部１５は、加熱時間入力部となる１０分キー１６、１分キー１７、１０秒キー１８と、マイクロ波加熱を実行するレンジキー１９と、焦げ目付け調理を実行するグリルキー２０と、調理終了後に所定時間内（例えば５分以内）にさらに延長して加熱調理を行いたいときに操作する延長キー２２と、設定した内容で調理開始を実行するスタートキー２３と、設定内容をキャンセルする取消キー２４とを配設している。
【００１８】
前記各種キーのうち、１０分キー１５と１分キー１７と１０秒キー１８とは本発明に加熱時間入力部に相当する。
【００１９】
図３において、２５は加熱室７内の食品温度を検知する赤外線センサ、２６はマイクロ波を発振し、加熱室７内にマイクロ波を供給して食品１３をマイクロ波加熱するマグネトロン、２７は加熱室７の上部外壁や底板１１の外壁に配置したシーズヒータなどのヒータ、２８はキー入力１５からの設定内容や赤外線センサ２５からの検知温度に基づいてマグネトロン２６やヒータ２７を制御する制御部である。前記制御部２８は、内部にメモリを有しており、該メモリに表示部１４に残り加熱時間の表示を秒単位まで表示する時間帯と分単位まで表示する時間帯との切替え時間を２０分とすること、またキー入力部１５で設定できる最大加熱設定時間は３０分とすることを記憶させている。なお、前述のマグネトロン２６及びヒータ２７は本発明の加熱手段に相当する。
【００２０】
斯かる構成における制御部２８の動作について、図４のフローチャートに基づいて説明する。
【００２１】
まずステップＳ１でキー入力部１５から加熱条件、例えばレンジ加熱３分を設定するとき、レンジキー１９の操作後、１分キーを３回操作して加熱条件を入力設定する。ステップＳ２ではキー入力部１５のスタートキー２３が操作されたかどうか判断する。かかるステップでは、スタートキー２３が操作されるまで待機状態となる。またスタートキー２３が操作されたと判断すると、ステップＳ３へ移行する。
【００２２】
ステップＳ３では、ステップＳ１で設定されや加熱条件に基づいて、マグネトロン２６やヒータ２７を駆動制御し、加熱動作を実行する。ステップＳ４ではステップＳ３の動作を終了するかどうか判断する。すなわち、ステップＳ１での加熱条件において加熱時間が設定されていると加熱時間が経過したかどうか判断し、温度設定されていれば赤外線センサ２５で設定温度を検知したかどうか判断する。斯かるステップでは，終了したと判断されるまで待機状態となる。また終了したと判断されるとステップＳ５に移行する。
【００２３】
ステップＳ５では、ステップＳ３で実行していたマグネトロン２６またはヒータ２７の駆動を停止し、図示しない報知手段により終了報知して使用者に加熱調理の終了を知らせて加熱動作を終了する。
【００２４】
前述のステップＳ１において、キー入力部１５の加熱時間入力部を用いて加熱時間を設定する方法について図５及び図６に基づいて詳述する。
【００２５】
まずステップＳ１００では１０秒キー１８が操作されたかどうか判断する。操作されたと判断するとステップＳ１０１に移行し、また操作されていないと判断するとステップＳ１０３に移行する。
【００２６】
ステップＳ１０１では、現在の加熱時間の設定時間が２０分以上かどうか判断する。２０分以上であれば加熱時間をカウントアップせずにステップＳ１０３へ移行し、２０分以内であればステップＳ１０２に移行する。ステップＳ１０２では、加熱時間に１０秒をカウントアップする。斯かるステップＳ１０１乃至Ｓ１０２では、本実施形態のオーブンレンジ１では、２０分以上は加熱時間及び残り時間を表示部１４に秒表示しない仕様としているため、入力すること自体が無駄な操作となるため、入力を無視する構成としている。
【００２７】
ステップＳ１０３では、１分キー１７が操作されたかどうか判断する。操作されたと判断するとステップＳ１０４に移行し、また操作されていないと判断するとステップＳ１０９に移行する。
【００２８】
ステップＳ１０４では、現在の加熱時間に１分カウントアップする。ステップＳ１０５では、現在の加熱時間が最大加熱設定時間と等しいかどうか判断する。斯かるステップで等しいと判断すると、ステップＳ１０６に移行して加熱時間を０にリセットする。またステップＳ１０５で等しくないと判断すると、ステップＳ１０７に移行し、加熱時間が最大加熱設定時間を超えているかどうか判断する。斯かるステップで超えていると判断すると、ステップＳ１０８に移行し、加熱時間を最大加熱設定時間に置換する。またステップＳ１０７で超えていないと判断すると、処理なくステップＳ１０９に移行する。
【００２９】
ステップＳ１０９では、１０分キー１６が操作されたかどうか判断する。操作されたと判断するとステップＳ１１０に移行し、また操作されていないと判断するとステップＳ１１５に移行する。
【００３０】
ステップＳ１１０では、現在の加熱時間に１分カウントアップする。ステップＳ１１１では、現在の加熱時間が最大加熱設定時間と等しいかどうか判断する。斯かるステップで等しいと判断すると、ステップＳ１１２に移行して加熱時間を０にリセットする。またステップＳ１１１で等しくないと判断すると、ステップＳ１１３に移行し、加熱時間が最大加熱設定時間を超えているかどうか判断する。斯かるステップで超えていると判断すると、ステップＳ１１４に移行し、加熱時間を最大加熱設定時間に置換する。またステップＳ１１３で超えていないと判断すると、処理なくステップＳ１１５に移行する。
【００３１】
前述のステップでは、設定される加熱時間が最大値を超える時間に設定される場合は、一旦最大加熱設定時間に設定される。その後さらに使用者が加熱時間をカウントアップする操作を行った場合は、加熱時間を０にリセットし、できるだけ使用者に操作の意図に沿った動作を実現するものである。
【００３２】
ステップＳ１１５では延長キー２２が操作されたかどうか判断する。操作されたと判断するとステップＳ１１６に移行し、また操作されていないと判断するとステップＳ１１９に移行する。
【００３３】
ステップＳ１１６では調理中で残り時間が２０分を越えているかどうか判断する。調理中と判断するとステップＳ１１７に移行し、調理中でないと判断すると処理なくステップＳ１１９に移行する。ステップＳ１１７では調理時間の残り時間のうち秒単位が０秒かどうか判断する。斯かるステップで０秒と判断すると、残り時間の秒単位を０にリセットし、分単位に１分を加える。その後ステップＳ１１９に移行する。
【００３４】
前述の延長キー２２の操作の後、ステップＳ１０３からステップＳ１１４までの動作を再度実行することにより延長時間が設定できるのである。
【００３５】
ステップＳ１１９ではキー入力部１５の他のキーが操作されたとき、そのキーの機能に応じた条件が設定されるよう動作する。
【００３６】
以上の操作を繰り返し行うことにより図四中のステップＳ１の加熱条件設定が実行できるのである。
【００３７】
なお、前述の延長キー２２の操作について以下にさらに詳述する。
【００３８】
本実施形態では、２０分を超える残り加熱時間は、制御部２８が表示部１４に秒単位の表示をしない仕様としている。これは、長時間加熱において、秒単位の表示はあまり意味がなく使用者にとっても目障りな表示となるので、表示しないようにしているのである。ここで２０分以上の仕様としているが、本発明ではこれに限らず、表示に対する前述の趣旨を超えない範囲で設計時に自由に選択できる。
【００３９】
調理実行中、すなわち図４中のステップＳ３の実行中に延長キー２２が操作された場合、例えば残り加熱時間が２０分３６秒のとき、ステップＳ１１７を経由してステップＳ１１８に至り、まず２０分３６秒うち３６秒を０秒にリセットし、２０分に１分を加算して２１分０秒とする。その後、ステップＳ１０３からステップＳ１１４の操作により延長時間が残り加熱時間に加算されて加熱時間が再設定できるのである。
【００４０】
前述の構成を採用する理由は以下のとおりである。例えは残り加熱時間が２２分３６秒であるとする。このときの表示部１４への表示は２３分である。このとき延長キー２２の操作後１分キー１７を操作したときの動作は、まず残り加熱時間の３６秒を０秒にリセットし、２２分に１分キー１７の操作に伴う１分加算を行う。この結果、残り加熱時間は２３分となるが、表示部１４ではやはり２３分なので、実際は時間延長しているにもかかわらず、表示部１４の表示上は時間延長されていないことになる。
【００４１】
そこで、前述の実施例の構成を採用することにより、２２分３６秒が２３分と修正され、そこに１分キー１７の操作に伴う１分加算が行われて２４分となる。表示部１４の表示では、２３分の表示から２４分の表示に切替えられ、使用者からも次官が延長されたと確認できるのである。
【００４２】
【発明の効果】
本発明によれば、使用者の意図する操作に沿った設定動作がえられ、使用者にとって思うように設定できないと感じることが回避できるものである。
【図面の簡単な説明】
【図１】本発明の一実施例のオーブンレンジのドアを開放したときの外観図である。
【図２】図１中の操作パネルの拡大図である。
【図３】オーブンレンジの制御ブロック図である。
【図４】調理時の制御部の動作フローチャートを示す図である。
【図５】キー入力時の詳細な制御部の動作フローチャートを示す図である。
【図６】図５から継続する制御部の動作フローチャートを示す図である。
【図７】従来例を説明するためのオーブンレンジの外観図である。
【図８】従来例を説明するためのオーブンレンジの操作パネルの拡大図である。
【符号の説明】
１    オーブンレンジ
６    操作パネル
７    加熱室
１４    表示部
１５    キー入力部
１６    １０分キー
１７    １分キー
１８    １０秒キー
２６    マグネトロン
２７    ヒータ
２８    制御部
【図１】
2004353907.tif 000003
【図２】
2004353907.tif 000004
【図３】
2004353907.tif 000005
【図４】
2004353907.tif 000006
【図５】
2004353907.tif 000007
【図６】
2004353907.tif 000008
【図７】
2004353907.tif 000009
【図８】
2004353907.tif 000010